(57)【要約】【課題】嵩張らず、現場への搬送が簡単に行え、現場では曲線部分でも簡単に装着できるとともに、ケーブルの点検整備や補修時にはケーブルの峻別ができるようにしたケーブル保護管を提供できるようにする。【解決手段】テープ状の素材を少なくとも側縁部が重なりあう状態にし、その重なり合う部分を溶着若しくは接着して形成された筒状の内管と、この内管の外周に螺旋状に巻き付けられた状態で固定された硬質の保護用芯材とからなり、筒状の内管の少なくとも外周面に動物忌避剤を設けるとともに、保護管の外周に１条の装着用切込みを形成した。【選択図】図４
2008061385.tif 000002
【特許請求の範囲】
【請求項１】
既設のケーブル若しくはケーブルの架設若しくは埋設時に、ケーブルの外周に装着して使用されるケーブル保護管であって、このケーブル保護管は、テープ状の素材を少なくとも側縁部が重なりあう状態で螺旋状に巻き、その重なり合う部分を溶着若しくは接着して形成された筒状の内管と、この内管の外周に螺旋状に巻き付けられた状態で固定された硬質の保護用芯材とからなり、筒状の内管の少なくとも外周面に動物忌避剤を設けるとともに、保護管の外周に１条の装着用切込みを形成したことを特徴とするケーブル保護管。
【請求項２】
内管を形成するテープ状の素材を形成する原料中に動物忌避剤を混練してなる請求項１に記載のケーブル保護管。
【請求項３】
動物忌避剤がカプサイシンである請求項１または請求項２に記載のケーブル保護管。
【請求項４】
芯材と内管とを異なる色にし、芯材の色、若しくは芯材の色と内管の色とに組み合わせにより、保護するケーブルの種類若しくは忌避剤の種類を抱持するようにしたことを特徴とする請求項１に記載のケーブル保護管。
【発明の詳細な説明】
【技術分野】
【０００１】
本発明は、電線ケーブルや光ファイバーケーブルを動物が齧ったり、昆虫等が突いたりすることにより断線や損傷するのを防止するためのケーブル保護管に関する。
【背景技術】
【０００２】
一般に、電線ケーブルや通信用の光ケーブルは、道路や自然公園などに支柱を立設し、この支柱に複数の電線ケーブルや通信用の光ケーブルを支持させたり、暗渠に電線ケーブルや通信用の光ケーブル（以下単にケーブルと言う）をまとめて走らせたりしている。
支柱に支持されたケーブルでは、カラス等がこのケーブルをかじったり、公園の木々の近くのケーブルでは梢から電線を伝ってリス等の齧歯類動物がこのケーブルをかじって傷つけたりすることもある。
さらに図７に示すようにクマゼミ等の昆虫が枝と間違えて産卵管１００をケーブル１０４に突き刺してそのケーブル１０４の特に光ケーブル１０８を傷つけてしまうこともある。
【０００３】
一方、暗渠に配設されたケーブルでは、こうした暗渠に棲息するねずみ等がケーブルをかじって前述したのと同様、ケーブルを傷つけたり断線させたりしてしまうと言う問題があった。
そこで、こうした問題に対処するために、ケーブルの外周に嵌着するような管状部材を設け、この管状部材の管本体の内周面全体に、齧歯類動物が齧っても破られることがない程度の硬さを有しかつその一側の分割部位で開閉し得る齧害防止質層を設けるようにしたケーブル保護管が先に提案されている。（特許文献１）
【０００４】
ところが、この先の提案にかかるケーブル保護管では、直線状で且つ齧歯類動物が齧っても破られることがない程度の硬さを有していることから、曲線部分には装着できず、十分な効果を得ることができないと言う問題があった。
さらに、硬質で直線状に形成されていることから搬送時に嵩張り、運送費用が高くなるだけでなく、装着時の手間もかかり施工費が高くなってしまうという問題もある。
【０００５】
更に、支柱や暗渠には種類の異なる数多くのケーブルがまとめて配設されていることから、先の提案にかかるケーブル保護管を装着すると、ケーブルの峻別ができにくく、ケーブルの点検整備や補修に手間と時間がかかってしまうと言う問題もあった。
加えて、カプサイシン等の動物忌避剤を入れた管が露出し、作業者の手や肌に触れやすいために、かかる動物忌避剤の混合比率を高くすることが難しく、これが為に動物の忌避効果も十分に発揮することができないおそれもある。
【特許文献１】特開２００３−１４３７４４号公報
【発明の開示】
【発明が解決しようとする課題】
【０００６】
本発明は上記問題点に鑑み提案されたもので、嵩張らず、現場への搬送が簡単に行え、現場では曲線部分でも簡単に装着できるとともに安全に装着作業ができ、ケーブルの点検整備や補修時にはケーブルの峻別ができるようにしたケーブル保護管を提供できるようにすることを目的とするものである。
【課題を解決するための手段】
【０００７】
上記目的を達成するために、本発明にかかるケーブル保護管は、既設のケーブル若しくはケーブルの架設若しくは暗渠への配設時に、ケーブルの外周に装着して使用されるケーブル保護管であって、このケーブル保護管は、テープ状の素材を少なくとも側縁部が重なりあう状態で螺旋状に巻き、その重なり合う部分を溶着若しくは接着して形成された筒状の内管と、この内管の外周に螺旋状に巻き付けられた状態で固定された硬質の保護用芯材とからなり、筒状の内管の少なくとも外周面に動物忌避剤を設けるとともに、保護管の外周に１条の装着用切込みを形成したことを最も主要な特徴とするものである。
【０００８】
また、本発明にかかるケーブル保護管は、内管を形成するテープ状の素材を形成する原料中に動物忌避剤を混練したことや、動物忌避剤がカプサイシンであること、更に芯材と内管とを異なる色にし、芯材の色、若しくは芯材の色と内管の色とに組み合わせにより、保護するケーブルの種類若しくは忌避剤の種類を表示するようにしたことも特徴とするものである。
【発明の効果】
【０００９】
本発明にかかるケーブル保護管によれば、このケーブル保護管はテープ状の素材で筒状に形成された内管とその外周に保護用芯材が螺旋状に巻き付けられて形成されていることから、ケーブル保護管が屈曲性を有し、リールに巻き取ってあるいは環状の束にして搬送することができる。
これにより、嵩張ることが無く、現場への搬送が簡単に行え、現場においても取り扱いがいたって簡単に行なうことができる。
特に、ケーブル保護管が屈曲性を有することから、ケーブルの曲線部分でも簡単に装着することができる利点もある。
【００１０】
更に、リールに巻き取ってあるいは環状の束にして長尺のまま搬送できるので、こうした場合、現場においては装着するケーブルの長さ応じて切断して使用することができ、無駄がなく経済的で施工費の低減を図ることもできる。
【００１１】
加えて、少なくとも外周面に動物忌避剤を設けた内管の外周に保護用芯材が螺旋状に巻き付けてあることから、作業者の手や肌が内管の外周面の動物忌避材に直接触れるのを突出している保護用芯材が可及的に防止する。
これにより、動物忌避剤の混合比率を高めても安全性が保たれるとともに、動物の忌避効果を十分に発揮させることができる利点もある。
【００１２】
また、芯材と内管とを異なる色にし、芯材の色、若しくは芯材の色と内管の色とに組み合わせにより、保護するケーブルの種類若しくは忌避剤の種類を表示するようにしたものでは、ケーブルの点検整備や補修時に、一瞥するだけでケーブルの峻別ができるので、誤作業をなくし、点検整備や補修を簡単で短時間に行なうことができる利点もある。
【発明を実施するための最良の形態】
【００１３】
以下、本発明に係るケーブル保護管の最も好ましい実施の形態を図面に基づいて説明する。
図１は本発明のケーブル保護管を支柱に支持されたケーブルに装着した状態を示す斜視図であって、図中符号１はケーブル保護管を示す。
このケーブル保護管１は、支柱２の上端寄り部分に支持金具３を介して支持されたケーブル４や、分岐具５から各家庭に分岐される枝ケーブル４に装着して使用されている。
上記ケーブル４は図２乃至図４に示すように、銅線６、補強用繊維７、光用ケーブル８を所定の間隔で横１列に配置した状態にし、合成樹脂９でモールドして形成された周知構造のものとなっている。
【００１４】
ケーブル４に装着されるケーブル保護管１は、筒状の内管１０と、この内管１０の外周部分に設けられる保護用芯材１１とならなり、ケーブル保護管１の長手方向には１条の装着用切込み１２が形成されている。
筒状の内管１０は、塩化ビニルや酢酸ビニル等の軟質合成樹脂からなる原料に、カプサイシンを当該樹脂原料に対して約２％重量部の割合で混入したものを、テープ状に引き出し、そのテープ１０ａが軟化している状態の高温で、図示を省略した成形用回転芯部材に、その一側縁部分が重なり合う状態で巻きつけることにより、重なり合う部分が溶融して筒状の内管１０を形成するようにしたものである（図５参照）。
ここで、内管１０及びこれに混入されたカプサイシンを紫外線から守って耐久性を高めるために、この内管１０は黒色にすることが望ましい。
【００１５】
保護用芯材１１は、上記内管１０の形成と同時に形成される。
即ち、この保護用芯材１１は図５に示すように内管１０を形成する上記テープ１０ａより幅が狭く厚みの厚いテープ状の素材１１ａを、内管１０を形成するテープ１０ａが重なり合って融合した側縁部分に高温の状態で螺旋状に巻きつけることにより、当該内管１０の外周に溶着して固定してある。
また、この保護用芯材１１には原料に着色剤が混練してあり、その色は内管１０とは異なる色、例えば赤色にして、このケーブル保護管１が装着されるケーブル４の種類が光ケーブルであることを表示するようになっている。
【００１６】
内管１０の外周部分に保護用芯材１１が螺旋状に取り付けられた後、図６に示すように内管１０と保護用芯材１１とに渡って１条の切り込み１２がカッター等の切開き手段（図示せず）で内管１０の長手方向に形成されるとケーブル保護管１が形成される。このケーブル保護管１は長尺のままリール等に巻き取られたり、あるいは環状の束にして、若しくは所定の長さにしたものを束ねたりして収納される。
なお、内管１０と保護用芯材１１とに渡って形成される切り込み１２は、現場でカッターや鋏で形成されることもある。
【００１７】
上記のようにして形成されたケーブル保護管１は、リール等に巻かれた状態であるいは環状の束にして、若しくは所定の長さにしたものを束ねて現場に搬送する。
現場ではケーブル保護管１を必要な長さに切断し、図２に示すように切り込み１２部分を開き、当該開口部分１３からケーブル保護管１をケーブル８に嵌着していくだけの簡単な操作で、ケーブル保護管１のケーブル８への装着が完了する。
このケーブル保護管１をケーブル８に嵌着していくとき、ケーブル保護管１のカプサイシンが混練されている内管１０の外周面には保護用芯材１１が突出しているので、作業者がケーブル保護管１に当接しても、作業者の肌が直接内管１０の表面に触れるのをこの保護用芯材１１が可及的に防止する。
【００１８】
斯くしてケーブル保護管１が嵌着されたケーブル４は、ケーブル保護管１の内管１０の外周部分に螺旋状に取り付けられた保護用芯材１１の色を見るだけで簡単にケーブルの種類を正確に峻別することができる。
そして、このケーブル保護管１にとまったカラス等がこのケーブル保護管を齧ろうとしたとき、内管１０に混練したカプサイシンに触れるのでその辛さにしびれ、カラスのように学習能力を有するものでは以後、当該形態のケーブル保護管１には寄り付かなくなる。
【００１９】
なお、上記実施の形態では内管１０の色は黒色、保護用芯材１１は赤色にしてあるが、こうしたものに限られず、カプサイシンに代えて辛子などの刺激物を忌避剤として使用する場合は内管の色または保護用芯材１１を黄色や他の色にすることもできるし、また、内管１０の色で忌避剤の種類を、保護用芯材１１の色でケーブル４の種類を示したり、またその逆に内管１０の色でケーブル４の種類を示し、保護用芯材１１の色で忌避剤の種類を表示したりすることもできる。
更に、ケーブル保護管１の内管１０及び保護用芯材１１の原料種類は酢酸ビニルや塩化ビニルに限られず他の合成樹脂を使用することができるのは言うまでもないことである。
加えて上記実施の形態ではカプサイシンを内管１０の原料に混練するようにしてあるが、これを内管１０の表面にカプサイシン等の動物忌避剤を塗布により設けるようにすることも可能である。
【図面の簡単な説明】
【００２０】
【図１】は本発明にかかるケーブル保護管の使用状態の斜視図である。
【図２】は本発明にかかるケーブル保護管の装着過程を示す斜視図である。
【図３】は本発明にかかるケーブル保護管の使用状態の縦断正面図である。
【図４】は本発明にかかるケーブル保護管の使用状態の縦断側面図である。
【図５】は本発明にかかるケーブル保護管の製造手順を示す斜視図である。
【図６】は本発明にかかるケーブル保護管の斜視図である。
【図７】はセミの産卵管の差込による損傷を示すケーブルの断面図である。
【符号の説明】
【００２１】
１・・・ケーブル保護管
４・・・ケーブル
１０・・・内管
１１・・・保護用芯材
１２・・・切り込み
【図１】
2008061385.tif 000003
【図２】
2008061385.tif 000004
【図３】
2008061385.tif 000005
【図４】
2008061385.tif 000006
【図５】
2008061385.tif 000007
【図６】
2008061385.tif 000008
【図７】
2008061385.tif 000009